(57)【要約】【課題】物干しスタンドを安定的に立たせて倒れ難くし、堅固で耐久性に優れた物干しスタンド構造を提供する。【解決手段】  物干しスタンド構造は、２つのスタンド１０、吊り下げバーセット２０及び２つの接続ロッド３０を含む物干しスタンド１を備える。２つのスタンド１０は、互いに平行に配置され、吊り下げバーセット２０が上方に配置される。スタンド１０の頂面の前部及び後部には、内部に向かって深く形成された係入孔１２が設けられる。接続ロッド３０は、水平に設けられた延伸部３１を有し、延伸部３１の両端には、下方へ折り曲げられた差込部３２がそれぞれ設けられる。差込部３２を２つのスタンド１０の対応関係にある係入孔１２へそれぞれ挿入すると、その上に跨いで接続された接続ロッド３０を介して２つのスタンド１０が連結され、接続ロッド３０により係合されて位置決めされる。【選択図】図２
0003176815.tif 000002
【実用新案登録請求の範囲】
【請求項１】
２つのスタンド、吊り下げバーセット及び２つの接続ロッドを含む物干しスタンドを備えた物干しスタンド構造であって、
前記２つのスタンドは、互いに平行に配置され、前記吊り下げバーセットが上方に配置され、前記スタンドの頂面の前部及び後部には、内部に向かって深く形成された係入孔が設けられ、前記接続ロッドは、水平に設けられた延伸部を有し、前記延伸部の両端には、下方へ折り曲げられた差込部がそれぞれ設けられ、
前記差込部を、前記２つのスタンドの対応関係にある係入孔へそれぞれ挿入することにより、その上に跨いで接続された前記接続ロッドを介して前記２つのスタンドが連結され、前記接続ロッドにより係合されて位置決めされることを特徴とする物干しスタンド構造。
【請求項２】
前記スタンドの下方には、キャスタが取り付けられることを特徴とする請求項１に記載の物干しスタンド構造。
【請求項３】
前記スタンドの上方には、２つの立杆と水平掛杆とが組み合わされて吊り下げバーセットが形成され、前記スタンドの上面中央部に前記立杆が立設され、前記２つの立杆に前記水平掛杆が接続されることを特徴とする請求項１に記載の物干しスタンド構造。
【請求項４】
前記立杆は伸縮可能であることを特徴とする請求項３に記載の物干しスタンド構造。
【請求項５】
前記差込部の末端が扁平部にプレス成形されることを特徴とする請求項１に記載の物干しスタンド構造。
【請求項６】
前記２つの接続ロッドは、長さがそれぞれ異なる前記差込部を有し、
前記接続ロッドが前記２つのスタンドに連結されると、前記接続ロッドの高さがそれぞれ異なるようになることを特徴とする請求項１に記載の物干しスタンド構造。
【考案の詳細な説明】
【技術分野】
【０００１】
本考案は、物干しスタンド構造に関するものであり、さらに詳しくは、吊り下げバーと接続ロッドとから構成された物干しスタンド構造に関するものである。
【背景技術】
【０００２】
図５に示すように、従来の物干しスタンド４０は、互いに平行に配置された２つのスタンド４１を有する。２つのスタンド４１は、それぞれの内側面に接続された接続杆４２により互いに結合される。スタンド４１は、押して移動させるのに便利なようにキャスタ４３が下方に取り付けられ、立杆４４により水平掛杆４５が上方中央部に接続されている。立杆４４は伸縮可能である。かかる物干しスタンド４０を実際に使用する際、水平掛杆４５に衣類を掛け、物干しスタンド４０上で衣類を自然乾燥させたり、日に当てて乾燥させたりすることができ、また、立杆４４を高く調整することにより、洗濯した衣類が地面に触れて汚れるようなことを防ぐこともできる。
【０００３】
しかし、上述の従来技術によれば、実際に使用する際、以下の問題点がある。すなわち、接続杆４２を接続して単純に水平に設けるだけでは、一定期間使用した後に、掛けた衣類の重みにより接続杆４２が２つのスタンド４１により引っ張られ、物干しスタンド４０が不安定となって倒れたり、耐久性が低下する虞があることである。
【０００４】
特開２００２−３６９９９９号公報（以下、「特許文献１」という。）には、脚部上に立設された一対の支柱が上部連結杆と下部連結杆で連結された支柱部の間隔を自由に設定できる物干しスタンドが記載されているが、支柱間の連結杆は、前記の従来の物干しスタンドの接続杆と構造上差異はなく、また、支柱部間には連結杆は設けられていないので重量の大きい洗濯物を干した場合は、支柱部の安定性に問題が生じる恐れがある。
【０００５】
また、特開平７−２１３７９０号公報（以下、「特許文献２」という。）には、固定枠体と伸縮枠体とからなり、固定枠体の水平杆体が外管であり、伸縮枠体の水平管が内管である物干しスタンドが記載されているが、構造は前記の従来の物干しスタンドの構造と同様であり、洗濯物の重量に対する対策については開示がない。
前記の通り、特許文献１および２にも前記の如き耐久性等の問題点の解決方法については開示がない。
【特許文献１】特開２００２−３６９９９９号公報
【特許文献２】特開平７−２１３７９０号公報
【考案の概要】
【考案が解決しようとする課題】
【０００６】
従って、本考案の主な課題は、掛けた衣類の重みにより、２つのスタンドが互いに反対方向へ引っ張られて接続ロッドが外れることを防ぎ、これにより、物干しスタンドを安定的に立設して倒れ難くすると共に、堅固で耐久性が高い物干しスタンド構造を提供することにある。
【課題を解決するための手段】
【０００７】
そこで、本考案者は、前記の本考案の課題を解決するために検討を重ねた結果、２つのスタンド間に接続ロッドを跨いで接続することにより、前記の課題を解決できることに着目し、かかる知見に基づいて本考案に到達するに至った。
【０００８】
かくして、上記課題を解決するために、本考案によれば、２つのスタンド、吊り下げバーセット及び２つの接続ロッドを含む物干しスタンドを備えた物干しスタンド構造であって、
前記２つのスタンドは、互いに平行に配置され、前記吊り下げバーセットが上方に配置され、前記スタンドの頂面の前部及び後部には、内部に向かって深く形成された係入孔が設けられ、前記接続ロッドは、水平に設けられた延伸部を有し、前記延伸部の両端には、下方へ折り曲げられた差込部がそれぞれ設けられ、
前記差込部を、前記２つのスタンドの対応関係にある係入孔へそれぞれ挿入すると、その上に跨いで接続された前記接続ロッドを介して前記２つのスタンドが連結され、前記接続ロッドにより係合されて位置決めされることを特徴とする物干しスタンド構造
が提供される。
【０００９】
前記スタンドの下方には、キャスタが取り付けられることが好ましい。
【００１０】
前記スタンドの上方には、２つの立杆と水平掛杆とが組み合わされて吊り下げバーセットが形成され、前記スタンドの上面中央部に前記立杆が立設され、前記２つの立杆に前記水平掛杆が接続されることが好ましい。
【００１１】
前記立杆は伸縮可能であることが好ましい。
【００１２】
前記差込部の末端が扁平部にプレス成形されることが好ましい。
【００１３】
前記２つの接続ロッドは、長さがそれぞれ異なる前記差込部を有し、前記接続ロッドが前記２つのスタンドに連結されると、前記接続ロッドの高さがそれぞれ異なるようになることが好ましい。
【考案の効果】
【００１４】
本考案は、前記の構成からなるものであり、２つのスタンドが安定化し、物干しスタンドが堅固となり耐久性を向上させることができる。また、立杆の高さを調節することにより、衣類が地面に触れることを防止することができる。
【図面の簡単な説明】
【００１５】
【図１】本考案の一実施形態に係る物干しスタンド構造を示す斜視図である。
【図２】本考案の一実施形態に係る物干しスタンド構造を示す分解斜視図である。
【図３】本考案の一実施形態に係る物干しスタンド構造を示す断面図である。
【図４】本考案の一実施形態に係る物干しスタンド構造を別の角度から観察した状態を示す断面図である。
【図５】従来の物干しスタンド構造を示す斜視図である。
【考案を実施するための形態】
【００１６】
以下、本考案の実施形態について図面に基づいて説明する。なお、これによって本考案が限定されるものではない。
【００１７】
図１〜図４を参照する。図１〜図４に示すように、本考案の一実施形態に係る物干しスタンド構造の物干しスタンド１は、２つのスタンド１０、吊り下げバーセット２０及び２つの接続ロッド３０を備える。
【００１８】
２つのスタンド１０は、互いに平行に配置され、押して移動させるために用いるキャスタ１１が下方に取り付けられる。２つの立杆２１と水平掛杆２２とから構成された吊り下げバーセット２０が上方に設けられている。立杆２１は、スタンド１０上面の中央部に立設され、２つの立杆２１が水平掛杆２２により接続されている。これら２つの立杆２１は伸縮可能である。スタンド１０の頂面には、立杆２１の前方及び後方に、スタンド１０の内部に向かって深く形成された係入孔１２が設けられている。接続ロッド３０は、水平に設けられた延伸部３１を有する。この延伸部３１の両端には、下方へ折り曲げられた差込部３２がそれぞれ設けられ、この差込部３２の末端は、扁平部３３にプレス成形されている。
【００１９】
図１、図３及び図４を参照する。図１、図３及び図４に示すように、本考案の一実施形態に係る物干しスタンド構造は、接続ロッド３０の両端に設けられた差込部３２を、２つのスタンド１０に設けられた相対位置関係にある係入孔１２へそれぞれ挿入する。２つのスタンド１０は、その上に接続ロッド３０を跨いで接続させることにより、接続ロッド３０を介して連結され、接続ロッド３０により位置決めされる。接続ロッド３０は、延伸部３１の両端にそれぞれ下方へ折り曲げられた差込部３２を有し、差込部３２をスタンド１０の係入孔１２に挿入することにより、弾性を利用し、接続ロッド３０がスタンド１０を跨いで接続する構造を形成する。
【００２０】
実際に使用する際、水平掛杆２２に衣類を掛けることにより、物干しスタンド１上に衣類を掛けて自然乾燥させたり、日に当てて乾燥させることができる。立杆２１の高さを調節することにより洗濯した衣類が地面に触れて汚れることを防ぐことができる。接続ロッド３０を２つのスタンド１０間に跨いで接続させてスタンド１０に係合させることにより、掛けた衣類の重みにより、２つのスタンド１０が互いに反対方向へ引っ張られて接続ロッド３０が外れることを防止し、物干しスタンド１を安定的に立たせて倒れ難くすることができる。このように、本実施形態の物干しスタンド１が堅固となり耐久性を向上させることができる。
【００２１】
前記の２つの接続ロッド３０は、長さがそれぞれ異なる差込部３２を有するので、接続ロッド３０が２つのスタンド１０に連結されると、２つの接続ロッド３０の高さが異なるようになる。
【００２２】
本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１  物干しスタンド
１０  スタンド
１１  キャスタ
１２  係入孔
２０  吊り下げバーセット
２１  立杆
２２  水平掛杆
３０  接続ロッド
３１  延伸部
３２  差込部
３３  扁平部
４０  物干しスタンド
４１  スタンド
４２  接続杆
４３  キャスタ
４４  立杆
４５  水平掛杆
【図１】
0003176815.tif 000003
【図２】
0003176815.tif 000004
【図３】
0003176815.tif 000005
【図４】
0003176815.tif 000006
【図５】
0003176815.tif 000007